(57)【要約】      （修正有）【課題】両面が粘着面であり、携帯性の高いごみ取りシートを提供する。【解決手段】一面上に設けられた粘着面１２と粘着面を覆うフィルム１３とを有するシート１１の一軸方向の一端と他端とを粘着面を外側に向けて接続することで輪帯状のごみ取りシート１０を形成する。輪帯状の一周部分の長さは大人の手における四指（示指、中指、薬指、及び小指）を挿入できる長さである２０〜２４ｃｍ、短手方向の幅は示指の長さから示指の先端と母指の根との間の長さまでの７〜１２ｃｍとする。これにより、ごみ取りシートの輪帯の一側から四指を挿入した際に、示指と小指の先端を輪帯の奥（他端）まで挿入し、示指と小指の全体を用いてごみ取りシートを内側から押し拡げて、粘着面１２全体を張ることができる。【選択図】図１
0003185024.tif 000002
【実用新案登録請求の範囲】
【請求項１】
粘着面を押し当ててごみを取るごみ取りシートであって、
一面上に設けられた粘着面と該粘着面を覆うフィルムとを有するシートの一軸方向の一端と他端とを前記一面を外側に向けて接続することで輪帯状に形成され、
前記シートのうち前記輪帯状の部分の前記一軸方向の長さが２０〜２４ｃｍ、前記一軸方向に直交する方向の幅が７〜１２ｃｍであることを特徴とする、ごみ取りシート。
【請求項２】
前記接続は、前記一端と他端とにおいて前記粘着面を前記直交する方向に延びる線に沿って内向きに折られた該粘着面同士を粘着させるものであり、
該接続箇所において、該粘着面を剥離された前記フィルムが、前記直交する方向に延びる接続線に沿って前記輪帯状の外側に突出することを特徴とする、請求項１に記載のごみ取りシート。
【請求項３】
前記シートを、前記接続線から前記一軸方向に離間した前記直交する方向に延びる第１の線に沿って内向きに折ることでつまみ部が形成されることを特徴とする、請求項２に記載のごみ取りシート。
【請求項４】
前記シートを、前記直交する方向に延びる第１の線に沿って内向きに折り、該第１の線から前記一軸方向に離間して前記直交する方向に延びる第２の線に沿って外向きに折ることでつまみ部が形成されることを特徴とする、請求項１に記載のごみ取りシート。
【請求項５】
前記シートは、前記一軸方向について前記第１の線と前記接続線又は前記第２の線とを間に挟んで前記直交する方向に延びる第３の線及び第４の線に沿って外向きに折り、複数重ねて収容体に収容されることを特徴とする、請求項３又は４に記載のごみ取りシート。
【請求項６】
前記シートは、前記直交する方向の幅が７〜９ｃｍであり、
前記輪帯状に沿った前記第３の線と前記第４の線との間隔について、前記つまみ部のない側の前記一軸方向の長さが１０〜１２ｃｍであり、前記第１の線と前記接続線又は前記第２の線との離間長さを調整することで前記つまみ部のある側の前記一軸方向の長さが前記つまみ部のない側の前記一軸方向の長さに合わせられることを特徴とする、請求項５に記載のごみ取りシート。
【請求項７】
前記シートは、前記直交する方向の幅が１０〜１２ｃｍであり、
前記輪帯状に沿った前記第３の線と前記第４の線との間隔について、前記つまみ部のない側の前記一軸方向の長さが７〜９ｃｍであり、前記第１の線と前記接続線又は前記第２の線との離間長さを調整することで前記つまみ部のある側の前記一軸方向の長さが前記つまみ部のない側の前記一軸方向の長さに合わせられることを特徴とする、請求項５に記載のごみ取りシート。
【請求項８】
前記シートは、前記複数重ねて収容体に収容される状態において、前記つまみ部を前記一軸方向の中央に有し、前記収容体は、その上面中央部に前記シートを取り出し可能な開口が設けられることを特徴とする、請求項６又は７に記載のごみ取りシート。
【考案の詳細な説明】
【技術分野】
【０００１】
本考案は、粘着面を押し当ててごみを取るごみ取りシートに関するものである。
【背景技術】
【０００２】
衣服等の被清掃面に粘着面を押し当てることで、被清掃面に付着した糸くず、ほこり等のごみを除去する種々のごみ取りシートが考案されている。
【０００３】
例えば、特許文献１には、粘着剤を塗布して一面に粘着面が設けられたシートを複数重ね、最上面の粘着面を剥離フィルムで覆った構成のごみ取りシートが開示されている。このごみ取りシートでは、使用済みのシートを剥すことで、除去したごみを容易に廃棄できると同時に、最上面に露出される新しい粘着面を順次使用することができる。しかし、粘着面を何度も被清掃面に押し当ててごみを除去するのに不便である。
【０００４】
これに対して、特許文献２には、一面に粘着面が設けられた袋体の中に手を挿入し、一面側に向けた四指（示指、中指、薬指、及び小指）の腹から掌（四指下の丘）を被清掃面に押し当てることでごみを除去する袋状のごみ取りシートが開示されている。また、特許文献３には、同様に手を挿入する袋部が設けられたシートを二つ折りにして複数のシートをパッケージに収容する携帯性に優れたごみ取りシートが開示されている。しかし、袋体の中に手を入れても中指と薬指の先端が閉口部に内接して示指と小指の先端が袋体の奥まで届かないため、粘着面全体を四指を用いて張ることができず、被清掃面に押し当てるのに不便である。
【０００５】
特許文献１〜３に開示されたごみ取りシートは、いずれも、両面を有するシートのうちの片面のみが粘着面である。シートの両面を粘着面とすれば片面のみが粘着面である場合の２倍のごみをとることができるが、シートの両面を粘着面とすることは開示されていない。
【先行技術文献】
【特許文献】
【０００６】
【特許文献１】実用新案登録第３１６０８２３号
【特許文献２】特開平９−１１８８６５号公報
【特許文献３】特開２００９−１１９２２１号公報
【考案の概要】
【考案が解決しようとする課題】
【０００７】
本考案は、衣服等に付着したごみを除去するのに好適なごみ取りシートを提供することを課題とする。
【課題を解決するための手段】
【０００８】
本考案のごみ取りシートは、
粘着面を押し当ててごみを取るごみ取りシートであって、
一面上に設けられた粘着面と該粘着面を覆うフィルムとを有するシートの一軸方向の一端と他端とを前記一面を外側に向けて接続することで輪帯状に形成され、
前記シートのうち前記輪帯状の部分の前記一軸方向の長さが２０〜２４ｃｍ、前記一軸方向に直交する方向の幅が７〜１２ｃｍであることを特徴とする。
【０００９】
これにより、輪帯の一側から手を挿入し、他側から中指と薬指の先端を出し、示指と小指を拡げてごみ取りシートを内側から押し拡げることで、その粘着面全体を張ることができる。
また、シートの両側が粘着面となる。
【００１０】
本考案のごみ取りシートは、
前記接続は、前記一端と他端とにおいて前記粘着面を前記直交する方向に延びる線に沿って内向きに折られた該粘着面同士を粘着させるものであり、
該接続箇所において、該粘着面を剥離された前記フィルムが、前記直交する方向に延びる接続線に沿って前記輪帯状の外側に突出することを特徴とする。
【００１１】
粘着面のみによって接続を実現し、他の部材を使用しない。低コストでゴミ取りシートを生産することができる。
【００１２】
本考案のゴミ取りシートは、
前記シートを、前記接続線から前記一軸方向に離間した前記直交する方向に延びる第１の線に沿って内向きに折ることでつまみ部が形成されることを特徴とする。
【００１３】
接続線と第１の線の間が後述のつまみ部として形成される。
【００１４】
本考案のゴミ取りシートは、
前記シートを、前記直交する方向に延びる第１の線に沿って内向きに折り、該第１の線から前記一軸方向に離間して前記直交する方向に延びる第２の線に沿って外向きに折ることでつまみ部が形成されることを特徴とする。
【００１５】
接続部以外の箇所につまみ部を形成する。
【００１６】
本考案のゴミ取りシートは、
前記シートは、前記一軸方向について前記第１の線と前記接続線又は前記第２の線とを間に挟んで前記直交する方向に延びる第３の線及び第４の線に沿って外向きに折り、複数重ねて収容体に収容されることを特徴とする。
【００１７】
これにより、携帯性が向上する。
【００１８】
本考案のゴミ取りシートは、
前記シートは、前記直交する方向の幅が７〜９ｃｍであり、
前記輪帯状に沿った前記第３の線と前記第４の線との間隔について、前記つまみ部のない側の前記一軸方向の長さが１０〜１２ｃｍであり、前記第１の線と前記接続線又は前記第２の線との離間長さを調整することで前記つまみ部のある側の前記一軸方向の長さが前記つまみ部のない側の前記一軸方向の長さに合わせられることを特徴とする。
【００１９】
本考案のゴミ取りシートは、
前記シートは、前記直交する方向の幅が１０〜１２ｃｍであり、
前記輪帯状に沿った前記第３の線と前記第４の線との間隔について、前記つまみ部のない側の前記一軸方向の長さが７〜９ｃｍであり、前記第１の線と前記接続線又は前記第２の線との離間長さを調整することで前記つまみ部のある側の前記一軸方向の長さが前記つまみ部のない側の前記一軸方向の長さに合わせられることを特徴とする。
【００２０】
略ティッシュペーパーのサイズとすることができる。
【００２１】
本考案のゴミ取りシートは、
前記シートは、前記複数重ねて収容体に収容される状態において、前記つまみ部を前記一軸方向の中央に有し、前記収容体は、その上面中央部に前記シートを取り出し可能な開口が設けられることを特徴とする、を特徴とする。
【００２２】
これにより、収容体の開口からつまみ部を摘んでごみ取りシートを取り出すことができる。収容体は、ティッシュペーパーの包装と同サイズとすることができ、携帯に極めて便利である。
【考案の効果】
【００２３】
本考案のごみ取りシートを用いることで、衣服等に付着したごみを簡便に除去することが可能となる。
【図面の簡単な説明】
【００２４】
【図１】図１（Ａ）はごみ取りシートの構成を示す図、図１（Ｂ）は使用時におけるごみ取りシートの装着状態を示す図である。
【図２】図２は、ごみ取りシートの折り畳み方の一例を説明するための図である。（実施例１）
【図３】図３は、ごみ取りシートを箱体に収容した状態を示す図である。（実施例１）
【図４】図４は、ごみ取りシートの折り畳み方の一例を説明するための図である。（実施例２）
【図５】図５は、ごみ取りシートの折り畳み方の一例を説明するための図である。（実施例３）
【図６】図６は、ごみ取りシートを箱体に収容した状態を示す図である。（実施例３）
【考案を実施するための形態】
【００２５】
図１（Ａ）に、ごみ取りシート１０の構成を示す。ごみ取りシート１０は、輪帯状のシート１１と、その外表面に設けられた粘着面１２を覆う剥離フィルム（以下、単にフィルムと呼ぶ）１３と、を有する。
【００２６】
シート１１は、例えば、一軸方向を長手とする帯状のシートの一端に接続部（不図示）を設け、その接続部を他端の裏面に接着することで、輪帯状に形成される。ここで、シート１１として、例えば、十分な強度を有する上質紙等が採用される。帯状のシートの長手方向の輪帯状の部分の長さ（輪帯の周の長さ）は、大人の手における四指（示指、中指、薬指、及び小指）を挿入できる幅のおよそ２倍の長さである２０〜２４ｃｍ、短手方向の幅は大人の手における示指の長さから示指の先端と母指の根との間の長さまでの７〜１２ｃｍとする。
【００２７】
粘着面１２は、シート１１の一面に粘着剤を塗布することで設けられる。粘着剤として、例えば、耐候性、透明性等に優れるアクリル樹脂系の粘着剤が使用される。粘着剤を塗布して例えば３０μｍ程度の厚さの層を設けることで、十分な粘着力が得られる。
【００２８】
フィルム１３は、使用前の状態において粘着面１２を覆って保護する。フィルム１３として、例えば、離型性の樹脂フィルムが使用される。フィルム１３はシート１１より長手方向に幾分長く、シート１１を輪帯状に形成した際にその一端（余部）１３ａが他端上に重ねられる。これにより、使用する際に、余部１３ａをつまんでフィルム１３をシート１１から容易に剥離することができる。
【００２９】
図１（Ｂ）に、使用時におけるごみ取りシート１０の装着状態を示す。ごみ取りシート１０の輪帯の一側から四指（示指、中指、薬指、及び小指）を挿入し、他側から中指と薬指の先端を幾らか送り出し、示指と小指を拡げてそれらの全体でごみ取りシート１０を内側から押し拡げることで、粘着面１２全面が張られる。
【００３０】
ここで、ごみ取りシート１０を輪帯状に形成し、その長さを上記の通り定めることで、示指と小指を拡げて粘着面１２全面を張ることが可能となっている。また、ごみ取りシート１０の幅Ｄを上記の通り定めることで、示指と小指の先端を輪帯の奥（他端）まで挿入し、示指と小指の全体を用いてごみ取りシート１０を内側から押し拡げることが可能となっている。
【００３１】
ごみ取りシート１０を使用する際には、その幅に応じて、四指の腹から根（中指と薬指については第１関節近傍から根）まで（図１（Ｂ）参照）又は四指の腹から掌（四指下の丘）までを被清掃面に押し当てることでごみを除去する。
【００３２】
以下、本考案のごみ取りシートの具体的な実施例を示す。実施例に示すとおり、各種の形状が可能である。
【実施例１】
【００３３】
図２及び図３に、ごみ取りシート１０のパッケージ方法の一例を示す。
【００３４】
図２（Ａ）に帯状のシート１１を示す。ただし、粘着面１２及びこれを覆うフィルム１３は省略する。粘着面１２が設けられた一面が紙面手前側に向けられているものとする。
【００３５】
まず、シート１１を、その両端の接続部１１ａにおいて接続する。
図２（Ｂ）に接続の状態を示す。接続部１１ａのうち粘着面１２ａを短手方向に延びる接続線ａ０に沿って内向きに折り（ａ０について山折）、接続部１１ａのうちフィルム１３ａを短手方向に延びる接続線ａ０に沿って外向きに折る（ａ０について谷折）。両端の粘着面１２ａ同士を粘着させることで、シート１１が輪帯状となる。輪帯状の部分の長さＨは、２０ｃｍ〜２４ｃｍである。
【００３６】
次いで、接続線ａ０から長手方向に例えば５ｍｍ以上離間して短手方向に延びる第一の線ａ１に沿って内向きに折る（ａ１について谷折）ことで、図２（Ｃ）に示すように、シート１１の一部に母指と示指の腹（先端）でつまむことのできるつまみ部１０ａが形成される。
【００３７】
次に、シート１１を、長手方向について接続線ａ０及び第一の線ａ１（つまみ部１０ａ）を挟んで短手方向に延びる第３の線ａ３及び第４の線ａ４に沿ってそれぞれ外向きに折る（ａ３，ａ４についてそれぞれ山折）ことで、シート１１の裏面が接触して折り畳まれた状態でごみ取りシート１０が形成される。
この折り畳まれた状態で、ごみ取りシート１０の長手方向（紙面左右方向）の幅Ｗは１０〜１２ｃｍ、短手方向（紙面上下方向）の幅Ｄは７〜９ｃｍとなる。接続線ａ０と第一の線ａ１との離間長さをＸとすると、Ｗ＝（Ｈ−２Ｘ）／２の関係があり、Ｘを調整してＷを所望の長さとすることができる。
また、つまみ部１０ａが、折り畳まれたごみ取りシート１０の上面の長手方向の中央に位置する。
【００３８】
最後に、図３に示すように、折り畳まれたごみ取りシート１０を複数重ねて箱体２０内に収容する。図３（Ｂ）に、箱体２０を省略してその内部に収容されたごみ取りシート１０を示す。図３では、一例として、１０枚のごみ取りシート１０が箱体２０内に収容されている。上述の通りごみ取りシート１０を折り畳むことで、コンパクトなサイズになり、箱体２０に収容することで携帯性が向上する。
【００３９】
箱体２０の上面には、取り出し口２０ａが形成されている。図３では、一例として、上面の短手方向全体にわたって取り出し口２０ａが形成されている。これにより、箱体２０内の最も上にあるごみ取りシート１０のつまみ部１０ａを母子と示指の腹（先端）でつまんで、ごみ取りシート１０を取り出し口２０ａを介して取り出すことができる。
【００４０】
箱体２０は、図に示された直方体の形状である必要はない。例えば、ティッシュペーパーを持ち歩くのに用いられるものと同様の袋状のものであってもよい。８ｃｍ×１１ｃｍ程度のサイズの袋が広く用いられている。本実施例におけるＤ及びＷの値とすることにより、ティッシュペーパーを持ち歩くのに用いられる袋と略同サイズで携帯性の高いものとなる。
【実施例２】
【００４１】
本実施例は、つまみ部１０ａをシート１１の両端でなく中央部に形成するものである。シート１１の折り畳み及び箱体２０への収容は実施例１と同様であり、説明を省略する。
【００４２】
図４（Ａ）に、帯状のシート１１を示す。ただし、粘着面１２及びこれを覆うフィルム１３は省略する。粘着面１２が設けられた一面が紙面手前側に向けられているものとする。
【００４３】
シート１１を、その長手方向のほぼ中央に位置する短手方向に延びる第一の線ａ１に沿って内向きに折り（ａ１について谷折）、第１の線ａ１から長手方向に例えば５ｍｍ以上離間して短手方向に延びる第２の線ａ２に沿って外向きに折る（ａ１について山折）ことで、図４（Ｂ）及び（Ｃ）に示すように、シート１１の一部に母子と示指の腹（先端）で摘まむことのできるつまみ部１０ａが形成される。実施例１における接続線ａ０に替えて山折される第２の線ａ２を用いることとなる。
【実施例３】
【００４４】
本実施例は、シート１１の折り畳み方によって、実施例１とは９０度異なる方向につまみ部１０ａを構成するものである。箱体２０への収容は実施例１と同様であり、説明を省略する。
【００４５】
図５（Ａ）に、帯状のシート１１を示す。図５（Ａ）は、図２（Ａ）と同様である、各部のサイズのみが相違する。
【００４６】
シート１１の短手方向の幅Ｄは、１０〜１２ｃｍである。シート１１の長手方向の折り畳み幅Ｗは、７〜８ｃｍである。接続線ａ０と第一の線ａ１との離間長さ（実施例１ではＸで示された長さ）は、Ｗ／２である。また、接続線ａ０と第三の線ａ１との離間長さもＷ／２である。これにより、Ｈ＝３Ｗの関係が成立する。
【００４７】
このシート１１を、実施例１と同様に折りたたむと、図５（Ｂ）に示すように、第一の線ａ１と第３の線ａ３とが同位置となり、つまみ部１０ａが、折り畳まれたごみ取りシート１０の上面の短手方向の中央に位置する。
【００４８】
図６に示すように、折り畳まれたごみ取りシート１０を複数重ねて箱体２０内に収容すると、取り出し口２０ａ（つまみ部１０ａ）は、折り畳まれた矩形の長辺方向に構成される。ティッシュペーパーを持ち歩くのに用いられる袋と同一箇所・同一方向に取り出し口２０ａを設けることができる。
【産業上の利用可能性】
【００４９】
本考案のごみ取りシートは、衣服等に付着したごみを簡便に除去するのに適しており、両面が粘着面であり、ティッシュペーパーを持ち歩くのに用いられるものと略同サイズの箱体に収納できて携帯性の高いものである。多くの個人による利用が期待される。
【符号の説明】
【００５０】
１０…ごみ取りシート
１１…シート
１２…粘着面
１３…フィルム
１３ａ…余部
２０…箱体
２０ａ…取り出し口
【図１】
0003185024.tif 000003
【図２】
0003185024.tif 000004
【図３】
0003185024.tif 000005
【図４】
0003185024.tif 000006
【図５】
0003185024.tif 000007
【図６】
0003185024.tif 000008